(57)【要約】【課題】ロウソクが取付けられている状態で火袋を畳んでも全体をコンパクトできると共に、可燃物として廃棄することができる使い捨て提灯、及び使い捨て提灯用ロウソクを提供する。【解決手段】使い捨て提灯１に、円筒状の上輪２と、上輪２よりも直径が小さい円筒状の下輪３と、下輪３の下端を閉鎖している下輪底板４と、下輪底板４の上面に両面粘着部材によって貼り付けられる使い捨て提灯用ロウソク１０と、上端及び下端が夫々上輪２及び下輪３に取付けられている火袋６と、上輪２に取付けられている吊環７と、を具備させ全体を可燃性の材料により形成させる。また、使い捨て提灯用ロウソク１０として、金属箔の有底筒状で下輪よりも直径が小さく下輪と略同じ高さの容器１１と、容器１１内に充填されているロウ１２と、ロウ１２に埋設されている芯１３と、を具備させる。【選択図】図１
0003183993.tif 000002
【実用新案登録請求の範囲】
【請求項１】
円筒状に形成されており直径よりも高さが低い上輪と、
該上輪と同軸上で円筒状に形成されており、該上輪とは直径が異なる下輪と、
該下輪の下端を閉鎖している平板状の下輪底板と、
該下輪底板の上面中央に両面粘着部材又は接着剤によって貼り付けられ、金属箔によって有底筒状に形成されており前記上輪及び前記下輪よりも直径が小さい容器と、
該容器内に充填されているロウと、
該ロウに上端が上方へ突出した状態で埋設されている芯と、
上端が前記上輪に取付けられていると共に下端が前記下輪に取付けられている火袋と、
前記上輪に取付けられている吊環と
を具備し、
前記火袋を畳んだ時に前記上輪の外側又は内側に前記下輪が位置し、全体が可燃性の材料により形成されていることを特徴とする使い捨て提灯。
【請求項２】
前記上輪、前記下輪、及び前記容器は、
同じ高さに夫々形成されていることを特徴とする請求項１に記載の使い捨て提灯。
【請求項３】
金属箔によって有底筒状に形成されており直径よりも高さが低い容器と、
該容器内に充填されているロウと、
該ロウに上端が上方へ突出した状態で埋設されている芯と
を具備し、
円筒状に形成されており前記容器と同じ高さで該容器よりも直径が大きい上輪、上輪と同軸上の位置で円筒状に形成されており上輪と同じ高さで上輪とは直径が異なり且つ前記容器よりも直径が大きい下輪、下輪の下端を閉鎖している平板状の下輪底板、上端が上輪に取付けられていると共に下端が下輪に取付けられている火袋、及び上輪に取付けられている吊環を備えており、火袋を畳んだ時に上輪の外側又は内側に下輪が位置し、全体が可燃性の材料で形成されている使い捨て提灯の下輪底板の上面中央に両面粘着材又は接着剤によって前記容器を貼り付けて用いられることを特徴とする使い捨て提灯用ロウソク。
【考案の詳細な説明】
【技術分野】
【０００１】
本考案は、使用後に可燃物として廃棄することができる使い捨て提灯、及びその使い捨て提灯に用いる使い捨て提灯用ロウソクに関する。
【背景技術】
【０００２】
一般的な提灯は、円筒状の上輪及び下輪と、上輪及び下輪が夫々上端及び下端に取付けられた火袋と、下輪の下端側を閉鎖する平板状の下輪底板と、下輪底板の上面中央から上方へ突出した突起部と、上輪に取付けられた吊環と、を備えている。この提灯は、ロウソクの下端を、下輪底板から突出した突起部に取付けて使用する。
【０００３】
しかしながら、従来の提灯は、突起部や吊環等に、可燃物（可燃ゴミ）として廃棄できない不燃物である金属が用いられているため、そのままの状態では可燃物として廃棄することができなかった。そのため、廃棄する際には、提灯を可燃物と不燃物とに分解して、夫々を別々に廃棄する必要があり、手間がかかる問題があった。
【０００４】
また、提灯に用いられるロウソクは、円柱の棒状に形成されているため、下輪底板の突起部にロウソクを取付けた状態で、提灯を畳むと、ロウソクが上輪から上方へ長く突出した状態となる。従って、提灯とロウソクをセットで販売する場合、提灯にロウソクを取付けた状態では、嵩張ってしまうため、ロウソクを取外した状態で販売することとなるが、この場合、提灯を使用する時にロウソクを取付ける必要があり、手間がかかる問題があった。
【考案の概要】
【考案が解決しようとする課題】
【０００５】
本考案は、上記の実情に鑑み、ロウソクが取付けられている状態で火袋を畳んでも全体をコンパクトできると共に、可燃物として廃棄することができる使い捨て提灯、及び使い捨て提灯用ロウソクの提供を課題とする。
【課題を解決するための手段】
【０００６】
上記課題を解決するために、本考案に係る使い捨て提灯は、「円筒状に形成されており直径よりも高さが低い上輪と、該上輪と同軸上で円筒状に形成されており、該上輪とは直径が異なる下輪と、該下輪の下端を閉鎖している平板状の下輪底板と、該下輪底板の上面中央に両面粘着部材又は接着剤によって貼り付けられ、金属箔によって有底筒状に形成されており前記上輪及び前記下輪よりも直径が小さい容器と、該容器内に充填されているロウと、該ロウに上端が上方へ突出した状態で埋設されている芯と、上端が前記上輪に取付けられていると共に下端が前記下輪に取付けられている火袋と、前記上輪に取付けられている吊環とを具備し、前記火袋を畳んだ時に前記上輪の外側又は内側に前記下輪が位置し、全体が可燃性の材料により形成されている」ことを特徴とする。
【０００７】
ここで、一般的な金属は、不燃物として扱われているが、アルミ箔等の金属箔は、焼却炉で燃焼させることができるため、多くの地域で可燃物として扱われている。これを前提に、「可燃性の材料」としては、一般的に、可燃物として廃棄できる材料であれば良く、紙、木、合成樹脂、アルミ箔等の金属箔、等を例示することができる。
【０００８】
本考案の使い捨て提灯によれば、上輪、下輪、及びロウソクの外周を形成している容器を、容器の直径を最も小さくして夫々の直径を異ならせているため、火袋を畳んだ時に上輪の外側又は内側に下輪を位置させると、上輪、下輪、及び容器（ロウソク）とが略同じような高さとなる。従って、ロウソクが取付けられている状態で火袋を畳んでも、上輪や下輪からロウソクが上方へ殆ど突出することがなく、全体をコンパクトにすることができる。
【０００９】
また、ロウソクが取付けられている状態で火袋を畳んでも全体をコンパクトにできるため、嵩張ることがなく、火袋を畳んだ状態で袋に入れて梱包することにより運び易くすることができ、販売する際の取扱性を良くすることができる。また、ロウソクが取付けられた状態で販売することができるため、従来のように使用時にロウソクを取付ける必要がなく、使い易くすることができる。
【００１０】
更に、全体が可燃性の材料により形成されているため、廃棄する際に、分解して不燃物を分別させる必要がなく、可燃物としてそのまま廃棄することができ、廃棄にかかる手間を少なくすることができる。
【００１１】
また、可燃性の金属箔によって形成された有底筒状の容器内にロウを充填させているため、一般的な可燃物の焼却炉の燃焼温度では燃えるものの、ロウの燃焼温度では燃えることがない。従って、使用中に容器が燃えてしまうのを回避させることができ、容器が燃えて下輪底板や火袋等に延焼してしまうのを防止することができる。
【００１２】
また、本考案に係る使い捨て提灯は、上記の構成に加えて、「前記上輪、前記下輪、及び前記容器は、同じ高さに夫々形成されている」ことを特徴としても良い。
【００１３】
本考案の使い捨て提灯によれば、火袋を畳んだ時に、上輪、下輪、及び容器の高さが、ほぼ等しくなるため、火袋を畳んだ時に全体をよりコンパクトにすることができる。
【００１４】
本考案に係る使い捨て提灯用ロウソクは、「金属箔によって有底筒状に形成されており直径よりも高さが低い容器と、該容器内に充填されているロウと、該ロウに上端が上方へ突出した状態で埋設されている芯とを具備し、円筒状に形成されており前記容器と同じ高さで該容器よりも直径が大きい上輪、上輪と同軸上の位置で円筒状に形成されており上輪と同じ高さで上輪とは直径が異なり且つ前記容器よりも直径が大きい下輪、下輪の下端を閉鎖している平板状の下輪底板、上端が上輪に取付けられていると共に下端が下輪に取付けられている火袋、及び上輪に取付けられている吊環を備えており、火袋を畳んだ時に上輪の外側又は内側に下輪が位置し、全体が可燃性の材料で形成されている使い捨て提灯の下輪底板の上面中央に両面粘着材又は接着剤によって前記容器を貼り付けて用いられる」ことを特徴とする。
【００１５】
本考案の使い捨て提灯用ロウソクによれば、外周を形成している有底筒状の容器を、直径よりも高さを低くしているため、ロウの容積を同じとした場合、従来の棒状のロウソクと比較して高さを低くすることができる。これにより、火袋が畳まれた提灯に取付けられている状態でも、上輪や下輪等からの上方への突出量を短くすることができ、予め提灯に取付けても嵩張り難くすることができる。従って、上輪及び下輪の直径が容器よりも大きく且つ夫々の直径を異ならせており、火袋を畳んだ時に上輪の外側又は内側に下輪が位置し、全体が可燃性の材料により形成されている使い捨て提灯に対して、好適に用いることができる。
【００１６】
また、外周を形成している有底筒状の容器を金属箔により形成しているため、一般的な可燃物の焼却炉の燃焼温度では燃えるものの、ロウの燃焼温度では燃えることがない。従って、使用中に容器が燃えるのを回避させることができ、他の部材に延焼してしまうのを防止して安全に使用することができると共に、使用後には可燃物として廃棄することができる。
【考案の効果】
【００１７】
上記のように、本考案によると、ロウソクが取付けられている状態で火袋を畳んでも全体をコンパクトできると共に、可燃物として廃棄することができる使い捨て提灯、及び使い捨て提灯用ロウソクを提供できる。
【図面の簡単な説明】
【００１８】
【図１】本考案の一実施形態である使い捨て提灯の使用状態を示す斜視図である。
【図２】図１の使い捨て提灯を畳んだ状態で示す斜視図である。
【図３】（ａ）は図１の使い捨て提灯に用いられている使い捨て提灯用ロウソクの斜視図であり、（ｂ）は（ａ）の断面図である。
【考案を実施するための形態】
【００１９】
本考案の一実施形態である使い捨て提灯１（以下、単に提灯１とも称す）について、図１乃至図３を参照して詳細に説明する。本実施形態の提灯１は、円筒状に形成されており直径よりも高さが低い上輪２と、上輪２と同軸上で円筒状に形成されており、上輪と同じ高さで且つ上輪よりも直径が小さい下輪３と、下輪３の下端を閉鎖している平板状の下輪底板４と、下輪底板４の上面中央に貼り付けられている両面粘着部材５（図３（ｂ）を参照）と、上端が上輪２に取付けられていると共に下端が下輪３に取付けられている火袋６と、上輪２に取付けられている吊環７と、両面粘着部材５の上面側に貼り付けられ、下輪よりも直径が小さく下輪と略同じ高さの円柱状に形成されている使い捨て提灯用ロウソク１０（以下、単にロウソク１０とも称す）と、を備えている。
【００２０】
ロウソク１０は、図３に示すように、金属箔によって有底筒状に形成されており下輪３よりも直径が小さく下輪３と略同じ高さの容器１１と、容器１１内に充填されているロウ１２と、ロウ１２に上端が上方へ突出した状態で埋設されている芯１３と、を備えている。なお、図３では、構成を判り易くするために、容器１１の厚さを誇張して描いている。
【００２１】
本実施形態の提灯１は、上輪２、下輪３、及び下輪底板４が、厚さ０．２ｍｍ〜１．０ｍｍの厚紙により形成されている。また、火袋６は、竹ひご又は細い（直径が０．１ｍｍ〜０．５ｍｍ）金属線を螺旋状に形成した骨材に、透光性を有した薄い紙を貼り付けて伸縮可能に形成されている。更に、ロウソク１０の容器１１は、アルミ箔により形成されている。
【００２２】
また、提灯１の上輪２は、直径が、７０ｍｍ〜１５０ｍｍとされており、高さが、７ｍｍ〜１５ｍｍとされている。また、下輪３は、直径が、上輪２の直径に対して１５ｍｍ〜４０ｍｍ小さく形成されており、高さが、上輪２と同じ高さとされている。更に、火袋６は、最大径が、１３０ｍｍ〜３５０ｍｍとされており、使用時の高さ（火袋６を伸張させた時の高さ）が、２００ｍｍ〜４００ｍｍとされている。
【００２３】
また、ロウソク１０の容器１１は、直径が、２５ｍｍ〜３５ｍｍとされており、高さが７ｍｍ〜１５ｍｍで上輪２及び下輪３と同じ高さとされている。このロウソク１０は、芯１３に火を着けることにより、約１時間燃焼する。
【００２４】
本実施形態の提灯１は、図２に示すように、火袋６を畳んだ状態で販売される。火袋６を畳んだ状態から、上輪２が下輪３に対して相対的に上方へ移動させることにより、火袋６が延びて図１のような状態となる。この提灯１を使用する時には、火袋６を畳んだ状態で、ロウソク１０の芯１３に火を着け、その後、上輪２を上方へ移動させる。この火袋６を畳んだ状態では、ロウソク１０の上面が上輪２の上端と略同じ高さとなっているため、予めロウソク１０が下輪底板４に取付けられている状態でも、問題なくロウソク１０に火を着けることができる。そして、上輪２に取付けられている吊環７を用いて、提灯１全体を吊り下げて使用する。
【００２５】
本実施形態の使い捨て提灯１によれば、上輪２、下輪３、及びロウソク１０の外周を形成している容器１１を、夫々同じ高さとしていると共に、容器１１の直径を最も小さくして夫々の直径を異ならせているため、火袋６を畳んで時に上輪２の内側に下輪３を位置させると、上輪２、下輪３、及び容器１１（ロウソク１０）の高さが、ほぼ等しくなる。従って、ロウソク１０が取付けられている状態で火袋６を畳んでも、上輪２や下輪３からロウソク１０が上方へ殆ど突出することがなく、全体をコンパクトにすることができる。
【００２６】
また、ロウソク１０が取付けられている状態で火袋６を畳んでも全体をコンパクトにできるため、嵩張ることがなく、火袋６を畳んだ状態で袋に入れて梱包することにより運び易くすることができ、販売する際の取扱性を良くすることができる。また、ロウソク１０が取付けられた状態で販売することができるため、従来のように使用時にロウソク１０を取付ける必要がなく、使い易くすることができる。
【００２７】
更に、全体が可燃性の材料により形成されているため、廃棄する際に、分解して不燃物を分別させる必要がなく、可燃物としてそのまま廃棄することができ、廃棄にかかる手間を少なくすることができる。
【００２８】
また、金属箔としてアルミ箔によって形成された有底筒状の容器１１内にロウ１２を充填させているため、一般的な可燃物の焼却炉の燃焼温度では燃えるものの、ロウ１２の燃焼温度では燃えることがない。従って、使用中に容器１１が燃えてしまうのを回避させることができ、容器１１が燃えて下輪底板４や火袋６等に延焼してしまうのを防止することができる。
【００２９】
以上、本考案について好適な実施形態を挙げて説明したが、本考案は上記の実施形態に限定するものではなく、本考案の要旨を逸脱しない範囲において、種々の改良及び設計の変更が可能である。
【００３０】
例えば、上記の実施形態では、上輪２よりも下輪３の直径が小さい例を示したが、これに限定するものではなく、上輪２よりも下輪３の直径を大きくしても良い。
【００３１】
また、上記の実施形態では、両面粘着部材５によってロウソク１０を下輪底板４に貼り付けられている例を示したが、これに限定するものではなく、ボンド等の接着剤によってロウソク１０を下輪底板４に貼り付けても良い。
【符号の説明】
【００３２】
１  使い捨て提灯
２  上輪
３  下輪
４  下輪底板
５  両面粘着部材
６  火袋
７  吊環
１０  使い捨て提灯用ロウソク
１１  容器
１２  ロウ
１３  芯
【図１】
0003183993.tif 000003
【図２】
0003183993.tif 000004
【図３】
0003183993.tif 000005